(57)【要約】      （修正有）【課題】座位及び立位両用フィットネスバイクを提供する。【解決手段】本考案による両用フィットネスバイクは、フィットネスバイク本体１、および、転換機構２を有する。フィットネスバイク本体は、底座１１、および、ハンドルポストアセンブリ１２を有する。底座は、枢接される前支柱１１１と後支柱１１２を設置する。ハンドルポストアセンブリは、ハンドルポスト１２１、および、ハンドルポストと接続される横棒１２２を設置する。前支柱、後支柱、および、ハンドルポストは、枢接点Ａ１によって固定される。転換機構は、底座とハンドルポストアセンブリの間に設置されて、ハンドルポストアセンブリと底座の相対位置を調整するとともに固定し、二種の異なるフィットネスバイク功能を実現する。本考案により、構造が簡単、調節が便利で、座位と立位の二種の功能を兼備するフィットネスバイクが実現する。【選択図】図１
0003214958.tif 000002
【実用新案登録請求の範囲】
【請求項１】
座位及び立位両用フィットネスバイクであって、フィットネスバイク本体と転換機構を有し、
前記フィットネスバイク本体は、底座、ハンドルポストアセンブリ、サドル、負荷アセンブリ、および、ペダルアセンブリを有し、前記底座は、枢接される前支柱と後支柱を設置し、前記ハンドルポストアセンブリは、ハンドルポスト、および、前記ハンドルポストと接続される横棒を有し、前記前支柱、前記後支柱、および、前記ハンドルポストは、枢接点によって固定され、
前記転換機構は、前記底座と前記ハンドルポストアセンブリの間に設置されて、前記ハンドルポストアセンブリと前記底座の相対位置を調整するとともに固定し、二種の異なるフィットネスバイク功能を実現し、前記転換機構は、第一プレート、第二プレート、および、第三プレートを有し、前記第一プレートは前記底座の前支柱上に設置され、前記第二プレートは前記底座の後支柱上に設置され、前記第三プレートは、前記ハンドルポストアセンブリのハンドルポスト上に設置され、前記第一プレート、前記第二プレート、および、前記第三プレートは、前記枢接点を中心に回転し、前記第一プレート上に第一定位孔を設置し、前記第二プレート上に第二定位孔を設置し、前記第三プレート上にレバー式弾性ピンを設置し、前記弾性ピンと前記第一定位孔、および、前記第二定位孔は適合して定位し、フィットネスバイク功能転換を実現することを特徴とする両用フィットネスバイク。
【請求項２】
前記両用フィットネスバイクは、さらに、双方向調整の負荷調節機構を有し、前記双方向調整の負荷調節機構は、前記ハンドルポスト上部に設置され、前記双方向調整の負荷調節機構は、調節機構本体を有し、前記調節機構本体内に調節器を設置し、前記調節器上に、前記調節機構本体両端を穿出する同軸棒を設置し、前記調節機構本体内の前記調節器と前記負荷アセンブリが負荷を調節することを特徴とする請求項１に記載の両用フィットネスバイク。
【請求項３】
前記調節機構本体両端の同軸棒上に、それぞれ、ノブを設置し、前記各側のノブを動かして、前記同軸棒を回転させ、前記調節器と前記負荷アセンブリが、負荷を調節する目的を達成することを特徴とする請求項２に記載の両用フィットネスバイク。
【請求項４】
前記両用フィットネスバイクは、さらに、ディスプレイ調節機構を有し、前記ディスプレイ調節機構は、前記ハンドルポストアセンブリの横棒上に設置され、前記ディスプレイ調節機構はディスプレイ本体を有し、前記ディスプレイ本体は回転軸を中心に回転し、前記ディスプレイ本体上に制限座を設置し、前記回転軸上に制限凸点を設置し、前記制限座は、前記凸点を制限して、前記ディスプレイ本体を、前記回転軸で１８０度回転させることを特徴とする請求項１に記載の両用フィットネスバイク。
【請求項５】
前記ディスプレイ本体上に、さらに、固定槽を設置し、前記回転軸上に、さらに、固定点を設置し、前記固定槽と前記固定点は、前記ディスプレイ本体の一時的固定を実現することを特徴とする請求項４に記載の両用フィットネスバイク。
【考案の詳細な説明】
【技術分野】
【０００１】
本考案は、フィットネス器材に関するものであって、とくに、座位と立位の使用が可能な両用フィットネスバイクに関するものである。
【背景技術】
【０００２】
科学技術の発展に伴い、生活習慣病が増え、多くの生活習慣病は運動不足と関係しているが、現代人は仕事が忙しく、生活の中心が仕事と家庭に置かれ、運動の時間がとれず、時間があっても、運動できる適当な場所がないので、空間をうまく利用し、随時運動ができる各種フィットネス器材が研究開発されている。
【０００３】
これらのフィットネス器材中、フィットネスバイクは、構造が簡単、使用が便利であり、幅広く使用されている。現在のフィットネスバイクは、直立位、背もたれ式等多種あるが、このようなフィットネスバイクは往々にして、単一機能しかなく、即ち、運動者はサドルに座り、ハンドルを握って、ペダルを漕いで、アナログ式運動を実行するものである。一部のフィットネスバイクは、腕のトレーニングが可能な前置式の引きハンドルを増設する等、付加機能を増設しているが、フィットネスバイクの基本フレームは不変であるため、いくつかの付加功能を増加させることができるだけで、全体の功能は変わらず、さらに多くの要求を満たすことができない。
【考案の概要】
【考案が解決しようとする課題】
【０００４】
本考案は、構造が簡単、調節が便利で、座位と立位の二種の使用功能を兼ね備えた両用フィットネスバイクを提供することを目的とする。
【課題を解決するための手段】
【０００５】
本考案による両用フィットネスバイクは、フィットネスバイク本体と転換機構を有する。フィットネスバイク本体は、底座、ハンドルポストアセンブリ、サドル、負荷アセンブリ、および、ペダルアセンブリを有する。底座は、枢接される前支柱と後支柱を設置する。ハンドルポストアセンブリは、ハンドルポスト、および、ハンドルポストと接続される横棒を設置する。前支柱、後支柱、および、ハンドルポストは、枢接点により固定される。転換機構は、底座とハンドルポストアセンブリの間に設置され、ハンドルポストアセンブリと底座の相対位置を調整するとともに固定し、二種の異なるフィットネスバイク功能を実現する。転換機構は、第一プレート、第二プレート、および、第三プレートを有する。第一プレートは底座の前支柱上に設置される。第二プレートは底座の後支柱上に設置される。第三プレートはハンドルポストアセンブリのハンドルポスト上に設置される。第一プレート、第二プレート、および、第三プレートは、枢接点を中心に回転する。第一プレート上に第一定位孔を設置し、第二プレート上に第二定位孔を設置し、第三プレート上にレバー式弾性ピンを設置する。弾性ピンと第一定位孔、および、第二定位孔は適合して定位し、フィットネスバイク功能転換を実現する。
【考案の効果】
【０００６】
本考案によるフィットネスバイクは、構造が簡単、調節が便利で、座位と立位の二種の使用功能を兼ね備えている。
【図面の簡単な説明】
【０００７】
【図１】本考案によるフィットネスバイクを座って使用する形態(座位使用)立体図である。
【図２】本考案によるフィットネスバイクを立って使用する形態(立位使用)立体図である。
【図３】本考案による転換機構を示す図である。
【図４】本考案による双方向調整の負荷調節機構を示す図である。
【図５】本考案によるディスプレイ調節機構の分解図である。
【図６】本考案によるディスプレイ調節機構のもう一つの分解図である。
【図７】本考案によるディスプレイ調節機構の組み合わせ図である。
【考案を実施するための形態】
【０００８】
図１〜図７に示されるように、本考案による座位と立位両用フィットネスバイクは、フィットネスバイク本体１、転換機構２、双方向調整の負荷調節機構３、および、ディスプレイ調節機構４を有する。
【０００９】
フィットネスバイク本体１は、底座１１、ハンドルポストアセンブリアセンブリ１２、サドル１３、負荷アセンブリ１４、および、ペダルアセンブリ１５を有する。底座１１は、枢接される前支柱１１１と後支柱１１２を設置する。ハンドルポストアセンブリ１２は、ハンドルポスト１２１、および、ハンドルポスト１２１と接続される横棒１２２を設置する。前支柱１１１、後支柱１１２、および、ハンドルポスト１２１は、枢接点Ａ１で固定される。サドル１３は前支柱１１１上部に設置される。負荷アセンブリ１４、および、ペダルアセンブリ１５は、前支柱１１１下部に設置される。
【００１０】
転換機構２は、底座１１とハンドルポストアセンブリ１２の間に設置されて、ハンドルポストアセンブリ１２と底座１１の相対位置を調整するとともに固定し、二種の異なるフィットネスバイク功能を実現する。転換機構２は、第一プレート２１、第二プレート２２、および、第三プレート２３を有する。第一プレート２１は底座１１の前支柱１１１上に設置され、第二プレート２２は底座１１の後支柱１１２上に設置され、第三プレート２３はハンドルポストアセンブリ１２のハンドルポスト１２１上に設置される。第一プレート２１、第二プレート２２、および、第三プレート２３は、枢接点Ａ１を軸に回転する。第一プレート２１上に第一定位孔２１１を設置し、第二プレート２２上に第二定位孔２２１を設置し、第三プレート２３上に、レバー式弾性ピン２３１を設置する。弾性ピン２３１と第一定位孔２１１、および、第二定位孔２２１は適合して定位し、フィットネスバイク功能転換を実現する。
【００１１】
双方向調整の負荷調節機構３は、ハンドルポスト１２１上部に設置され、調節機構本体３１を有する。調節機構本体３１内に、調節器３２を有し、調節器３２上に、調節機構本体３１両端から穿出する同軸棒３３を設置する。調節機構本体３１内の調節器３２と負荷アセンブリ１４は負荷を調節する。調節機構本体３１両端の同軸棒３３上に、それぞれ、ノブ３４を設置し、各側のノブ３４を動かして、同軸棒３３を回転させ、調節器３２と負荷アセンブリ１４が、負荷を調節する目的を達成する。
【００１２】
ディスプレイ調節機構４は、ハンドルポストアセンブリ１２の横棒１２２上に設置され、ディスプレイ本体４１を有する。ディスプレイ本体４１は、回転軸４２を中心に回転する。ディスプレイ本体４１上に制限座４１１を設置する。回転軸４２上に制限凸点４２１を設置する。制限座４１１は、凸点４２１を制限して、ディスプレイ本体４１を、回転軸４２で１８０度回転させる。ディスプレイ本体４１上にさらに、固定槽４１２を設置し、回転軸４２上にさらに、固定点４２２を設置する。固定槽４１２と固定点４２２が、ディスプレイ本体４１の一時的固定を実現する。
【００１３】
本考案を、座位フィットネスバイクとして使用するとき(図１)、使用者はサドル１３に座り、ハンドルポストアセンブリ１２を持って、ペダルアセンブリ１５を漕ぐ。立位フィットネスバイクに換えて使用したいとき(図２)、弾性ピン２３１を起こして、ハンドルポストアセンブリ１２を動かし、第一プレート２１、第二プレート２２、および、第三プレート２３が枢接点Ａ１を回転して、弾性ピン２３１が円弧動作し、自動で、前支柱１１１上に設置された第一プレート２１の第一定位孔２１１を探して定位し、ハンドルポストアセンブリ１２が転換機構２により、ハンドルポストアセンブリ１２を固定角度回転させるとともに、固定されて、立位フィットネスバイクに変換する。運動者は座位とは別の方向から、ペダルアセンブリ１５上に立ち、ハンドルポストアセンブリ１２を持って運動し、これにより、二功能の自由な変換を実現する。
【００１４】
双方向の使用功能に適合させるため、本考案の双方向調整の負荷調節機構３が、ハンドルポストアセンブリ１２のハンドルポスト１２１上部に設置され、運動者が二方向でも負荷を調整できるよう確保し、使用が便利である。また、本考案によるディスプレイ調節機構４が、ハンドルポストアセンブリ１２の横棒１２２上に設置されて、運動者が座位、または、立位で運動時、随時、ディスプレイ本体４１を１８０度回転させ、正反両面で、ディスプレイ本体４１のデータを見ることができるようにする。
【００１５】
上述の実施形態に構造により、以下の効果が達成される。
【００１６】
本考案による座位と立位両用フィットネスバイクは全体の構造が簡単、調節が便利で、座位フィットネスバイクと立位フィットネスバイクの二種功能を兼備し、使用者の要求に符合し、実用性と運動効果を向上させる。
【００１７】
本考案では好ましい実施例を前述の通り開示したが、これらは決して本考案に限定するものではなく、当該技術を熟知する者なら誰でも、本考案の思想を脱しない範囲内で各種の変形を加えることができる。
【符号の説明】
【００１８】
１…フィットネスバイク本体
１１…底座
１１１…前支柱
１１２…後支柱
１２…ハンドルポストアセンブリ
１２１…ハンドルポスト
１２２…横棒
１３…サドル
１４…負荷アセンブリ
１５…ペダルアセンブリ
２…転換機構
２１…第一プレート
２１１…第一定位孔
２２…第二プレート
２２１…第二定位孔
２３…第三プレート
２３１…弾性ピン
３…双方向調整の負荷調節機構
３１…調節機構本体
３２…調節器
３３…同軸棒
３４…ノブ
４…ディスプレイ調節機構
４１…ディスプレイ本体
４１１…制限座
４１２…固定槽
４２…回転軸
４２１…制限凸点
４２２…固定点
Ａ１…枢接点
【図１】
0003214958.tif 000003
【図２】
0003214958.tif 000004
【図３】
0003214958.tif 000005
【図４】
0003214958.tif 000006
【図５】
0003214958.tif 000007
【図６】
0003214958.tif 000008
【図７】
0003214958.tif 000009